(57)【要約】【課題】本考案は、ヘッジトリマ、バリカン、チェーンソー等の有刃工具において、特に、立木の伐倒や玉切り作業を安全に行うチェーンソーに固定して使用することで有効となる角度指示器付き水平器を提供する。【解決手段】本考案の角度指示器付き水平器は、扁平な直方体の水平器本体１と、該水平器本体１の左半分側にＸ軸方向に沿って第１円筒水準器２を固定し、右半分側にＹ軸方向に沿って第２円筒水準器３を固定し、また左半分側の左側の側壁にＺ軸方向に沿って第３円筒水準器４を固定し、背面側の側壁にＸ軸方向に沿って視界補助用円筒水準器５を固定し、更に右半分側の右側の側壁に沿って角度測定器６を固定する。本考案の角度指示器付き水平器は、支持座を介してヘッジトリマ、バリカン、チェーンソー等の有刃工具に固定する。【選択図】図１
0003216194.tif 000002
【実用新案登録請求の範囲】
【請求項１】
扁平な直方体の水平器本体と、該水平器本体の左半分側にＸ軸方向に沿って第１円筒水準器を固定し、右半分側にＹ軸方向に沿って第２円筒水準器を固定し、また左半分側の左側の側壁にＺ軸方向に沿って第３円筒水準器を固定し、背面側の側壁にＸ軸方向に沿って視界補助用円筒水準器を固定し、更に右半分側の右側の側壁に沿って角度指示器を固定してなる角度指示器付き水平器において、前記角度指示器は、前記右側の側壁に固定する固定支持板と、該固定支持板と一体に形成された角度目盛板と、該角度目盛板の中央に回転軸により回転可能に角度指示板を設け、該角度指示板の先端側に角度指示アームを設け、後端側に角度指示用円筒水準器を取付けて一体として固定することを特徴とする角度指示器付き水平器。
【請求項２】
前記角度指示器付き水平器は、支持座を介してヘッジトリマ、バリカン、チェーンソー等の有刃工具本体に固定することを特徴とする請求項１記載の角度指示器付き水平器。
【考案の詳細な説明】
【技術分野】
【０００１】
本考案は、ヘッジトリマ、バリカン、チェーンソー等の有刃工具において、特に、立木の伐倒や玉切り作業を安全に行うチェーンソーに固定して使用することで有効となる角度指示器付き水平器に関する。
【背景技術】
【０００２】
従来、第１０図に示すように、ヘッジトリマ、バリカン、チェーンソー等の有刃工具の刃部及び把握部以外の本体部に水準器を設けることにより、工具使用者が本体部に設けられた水準器を視認して水平、垂直、傾斜等の所定の作業角度を、有刃工具を使用して作業を行う水準器付き工具が知られている（特許文献１を参照）。
この公知技術は、有刃工具の刃部及び把握部以外の本体部に水準器、指標或いは指標付き水準器を設け、これら工具の刃部の水平、垂直、傾斜、方位等の所定の作業角度を確認して正確な作業を行うことができる水準器付き工具である。
【０００３】
ところが、この公知技術は、作業に応じて指標線Ｐ或いは指標線Ｑ又は指標線Ｑ‘と作業個所を目視で同軸線上に合わせれば、刃部の方向を確認することができるものであるが、目視で指標線Ｑと作業個所を同軸線上に合わせることが難しいものであった。
【０００４】
そこで、有刃工具において、任意の角度における作業を１個の水平器を目安として行うことができ、誰でも精度の高い、かつ安全な作業を行える角度指示器付き水平器を開発した。
【先行技術文献】
【特許文献】
【０００５】
【特許文献１】特開２００４−９０１０３号公報
【考案の概要】
【考案が解決しようとする課題】
【０００６】
本考案は、ヘッジトリマ、バリカン、チェーンソー等の有刃工具において、特に、立木の伐倒や玉切り作業を安全に行うチェーンソーに固定して使用することで有効となる角度指示器付き水平器を提供することを目的とする。
【課題を解決するための手段】
【０００７】
本考案の角度指示器付き水平器は、扁平な直方体の水平器本体と、該水平器本体の左半分側にＸ軸方向に沿って第１円筒水準器を固定し、右半分側にＹ軸方向に沿って第２円筒水準器を固定し、また左半分側の左側の側壁にＺ軸方向に沿って第３円筒水準器を固定し、背面側の側壁にＸ軸方向に沿って視界補助用円筒水準器を固定し、更に右半分側の右側の側壁に沿って角度指示器を固定する。
前記角度指示器は、右側の側壁に固定する固定支持板と、該固定支持板と一体に形成された角度目盛板と、該角度目盛板の中央に回転軸により回転可能に角度指示板を設け、該角度指示板の先端側に角度指示アームを設け、後端側に角度指示用円筒水準器を取付けて一体として固定する。
【考案の効果】
【０００８】
本考案の角度指示器付き水平器は、角度指示器と水平器を一体化し、角度と水平との、２つの表示機能を持つため、すべての職種で安全で正確な作業をすることができる。
本考案の角度指示器付き水平器は、立木の伐倒や玉切り作業を安全に行うため、チェーンソーに固定して、チェーソーのガイドバーの長さや幅の水平、傾斜角度の測定を行い、適正な受け口や玉切り作業を行うことができる。
【図面の簡単な説明】
【０００９】
【図１】本考案の角度指示器付き水平器の概略斜視図である。
【図２】本考案の角度指示器付き水平器の平面図である。
【図３】本考案の角度指示器付き水平器の背面図である。
【図４】本考案の角度指示器付き水平器の右側面図である。
【図５】支持座の分解斜視図である。
【図６】立木の伐倒を示す説明図である。
【図７】角度指示器の側面図である。
【図８】本考案の角度指示器付き水平器をチェーンソーに取り付けた状態の説明図である。
【図９】図８の状態から９０°回転した状態の、本考案の角度指示器付き水平器と支持座の関係を示す一部省略説明図である。
【図１０】従来の水準器付き工具の斜視図である。
【考案を実施するための形態】
【００１０】
本考案の角度指示器付き水平器の一実施例を添付図面に基づいて、以下に説明する。
図１の概略斜視図に示すように、本考案の角度指示器付き水平器は、扁平な直方体の水平器本体１と、該水平器本体１の左半分側にＸ軸方向に沿って第１円筒水準器２を固定し、右半分側にＹ軸方向に沿って第２円筒水準器３を固定し、また左半分側の左側の側壁にＺ軸方向に沿って第３円筒水準器４を固定し、背面側の側壁にＸ軸方向に沿って視界補助用円筒水準器５を固定し、更に右半分側の右側の側壁に沿って角度指示器６を固定する。
前記角度指示器６は、右側の側壁に固定する固定支持板７と、該固定支持板７と一体に形成された角度目盛板８と、該角度目盛板８の中央に回転軸９により回転可能に角度指示板１０を設け、該角度指示板１０の先端側に角度指示アーム１１を設け、後端側に角度指示用円筒水準器１２を取付けて一体として固定する。
【００１１】
図２の平面図に示すように、前記第１円筒水準器２は、前記水平器本体１の左半分側の前面側をコ字状に切り欠き、切り欠きされた空間部分にＸ軸方向、すなわち図面上では左右方向で、図８に示すチェーソー２６の刃部本体２７の長さ方向と平行に固定される。
また、前記第２円筒水準器３は、前記水平器本体１の右半分の中央部分を矩形に切り欠き、切り欠きされた空間部分にＹ軸方向、すなわち図面上では前後方向で、図８に示すチェーソー２６の刃部本体２７の幅方向と平行に固定される。
前記第３円筒水準器４は、透明半月板の取付部材１３に固定された円筒水準器であり、図３の背面図に示すように、前記水平器本体１の左半分側の左側（図面上では右側）の側壁にＺ軸方向、すなわち図面上では垂直方向で、図８に示すチェーソー２６の刃部本体２７と直交する上下方向と平行に固定される。
【００１２】
前記視界補助用円筒水準器５は、図２に示すように、透明半月板の取付部材１３に固定された円筒水準器であり、前記水平器本体１の背面側に前記第１円筒水準器２と平行になるように右側に寄せて側壁に沿って取り付け固定される。
前記角度指示器６は、図４の右側面図に示すように、前記水平器本体１の右半分側の右側の側壁に固定する固定支持板７と、該固定支持板７と一体に形成された角度目盛板８と、該角度目盛板８の下端中央の回転軸９により回転可能に角度指示板１０を設け、該角度指示板１０の先端側に角度指示アーム１１を設け、後端側に角度指示用円筒水準器１２を取付けて一体として固定する。
前記角度目盛板８には、角度を示す放射状線１４と、図示省略しているが角度を示す数値が放射状線１４の先端又は下端に記載されている。
また、前記角度目盛板８の０°側には、角度指示アーム１１の行き過ぎを防止するストッパー１５を設け、この実施例では、前記角度指示アーム１１が角度３０°となる位置にストッパー１５を設けている。
【００１３】
本考案の角度指示器付き水平器は、ヘッジトリマ、バリカン、チェーンソー等の有刃工具に支持座を介して固定されるので、チェーンソーに固定される場合の支持座について以下に説明する。
図５の分解斜視図に示すように、チェーンソー本体に固定される下部支持座１６と、本考案の角度指示器付き水平器が固定される上部支持座１７からなる。
前記下部支持座１６は、逆Ｔ字状の接合板からなり、下部の横長部分１８がチェーンソー本体にパッキング１９を介して固定され、上部の縦長部分２０が前記上部支持座１７と接合される。
前記上部支持座１７は、Ｔ字状の接合板からなり、上部の横長部分２１の両端には本考案の角度指示器付き水平器を載せるＬ形載せ座２２を固定し、下部の縦長部分２３が前記下部支持座１６の縦長部分２０と接合されて一体となる。
この支持座を組み立てた状態は、図７の側面図に示されている。
【００１４】
次に、本考案の角度指示器付き水平器の操作動作を添付図面に基づいて、以下に説明する。
図６の説明図に示すように、立木を伐倒する際には、倒れる方向に受け口２４を形成し、反対側に追い口２５を設けて伐倒作業を行う。
前記受け口２４は、３０°〜４０°の開口度で設けられるので、図７に示す角度指示器６の角度指示アーム１１を３０°に合わせて、なおストッパー１５の位置が３０°となっているので、この場合には角度調整は要らないので、図８の説明図に示すチェーソー２６を手前側に傾けて図７の角度指示用円筒水準器１２を水平に保持する。
これで、チェーソー２６の刃部本体２７の傾き角度は３０°に保持され、前記角度指示用円筒水準器１２の水平状態を維持しながら切削することにより、角度３０°の受け口２４を形成することができる。
【００１５】
次に、本考案の角度指示器付き水平器の一般的取り扱いについて説明する。
図８に示すように、チェーソー２６の刃部本体２７が、水平状態のときは第１円筒水準器２及び第２円筒水準器３の気泡が中央に位置する。同時に視界補助用円筒水準器５も第１円筒水準器２と同一となっている。
また、図８の状態から手前側へ回転した第９図の状態では、チェーソー２６の刃部本体２７が玉切り作業ができる垂直状態となっており、第３円筒水準器４及び視界補助用円筒水準器５の気泡が中央に位置する。
なお、図９では、説明の都合上、角度指示器付き水平器と支持座とを分離して示しているが、実際は角度指示器付き水平器の背面側の壁面に取り付けた永久磁石２８を上部支持座１７の横長部分２１に磁着させることにより固定される。
また、永久磁石２８を用いないで、結束具等の他の固定手段で行うことも可能である。
【符号の説明】
【００１６】
１  水平器本体
２  第１円筒水準器
３  第２円筒水準器
４  第３円筒水準器
５  視界補助用円筒水準器
６  角度指示器
７  固定支持板
８  角度目盛板
９  回転軸
１０  角度指示板
１１  角度指示アーム
１２  角度指示用円筒水準器
１３  取付部材
１４  放射状線
１５  ストッパー
１６  下部支持座
１７  上部支持座
１８  横長部分
１９  パッキング
２０  縦長部分
２１  横長部分
２２  Ｌ形載せ座
２３  縦長部分
２４  受け口
２５  追い口
２６  チェーソー
２７  刃部本体
２８  永久磁石
【図１】
0003216194.tif 000003
【図２】
0003216194.tif 000004
【図３】
0003216194.tif 000005
【図４】
0003216194.tif 000006
【図５】
0003216194.tif 000007
【図６】
0003216194.tif 000008
【図７】
0003216194.tif 000009
【図８】
0003216194.tif 000010
【図９】
0003216194.tif 000011
【図１０】
0003216194.tif 000012